(57)【要約】【課題】日射遮蔽装置等に用いられる前後に平行な複列レールを支持する複列レールブラケットであって、支持する複列レールの間隔を自由に調整することができるものを提供する。【解決手段】複列レールブラケット（５）は、壁面又は天井面に固定される第一本体（６）と、その第一本体に前面から内挿されて固定位置調整自在に固定される第二本体（７）を備え、第一本体（６）は、後列のレールを支持するための固定爪部（８）と、可動爪体（９）と、その可動爪体を摺動自在に載せる爪体支持部（１２）と、その可動爪体を前方に押し付けるばね（１３）と、そのばねを受けるばね受け部（１４）とを、第二本体（７）は、前列のレールを支持するための固定爪部（１０）と可動爪体（１１）と、可動爪体を摺動自在に載せる爪体支持部（１５）と、その可動爪体を前方に押し付けるばね（１６）と、そのばねを受けるばね受け部（１７）とをそれぞれ備える。【選択図】　　　　図２
2004089590.tif 000002
【特許請求の範囲】
【請求項１】
壁面又は天井面に固定される第一本体（６）と、前記第一本体に前面から内挿されて固定位置調整自在に固定される第二本体（７）とを備えた複列レールブラケット（５）であって、前記第一本体（６）及び前記第二本体（７）は、固定爪部（８、１０）と可動爪体（９、１１）を介して、後列レール（２ｂ）及び前列レール（２ａ）をそれぞれ支持し、前記第一本体は、前面と底面が少なくとも部分的に抜けた箱体であり、両側部に前記固定爪部（８）を、底部に前記可動爪体（９）を摺動自在に載せる爪体支持部（１２）を、後部に前記可動爪体を前記固定爪部側に押し付けるばね（１３）のばね受け部（１４）をそれぞれ一体に有し、前記第二本体（７）は、底面が少なくとも部分的に抜けた箱体であり、前端部に前記固定爪部（１０）を、底部に前記可動爪体（１１）を摺動自在に載せる爪体支持部（１５）を、後部に前記可動爪体を前記固定爪部側に押し付けるばね（１６）のばね受け部（１７）をそれぞれ一体に有することを特徴としてなる日射遮蔽装置用複列レールブラケット。
【請求項２】
第一本体（６）は、上面中央に前後に延長する案内溝（１８）を、前記案内溝に長穴（１９）を有し、第二本体（７）は、中央に固定ボルト通し穴（２０）を有し、下から前記固定ボルト通し穴と前記長穴を挿通する固定ボルト（２２）と前記案内溝にはめた角ナット（２１）を介して、前記第二本体は前記第一本体に固定されることを特徴としてなる請求項１記載の日射遮蔽装置用複列レールブラケット。
【請求項３】
第二本体（７）は、両側部の少なくとも一方に第一本体（６）に対する固定位置を示すマーク（２３）を有することを特徴としてなる請求項１又は２記載の日射遮蔽装置用複列レールブラケット。
【請求項４】
第一本体（６）は、両側部に天井面に当接可能な水平板部（２４）を、後端面両側に壁面に当接可能な垂直板部（２５）をそれぞれ一体に有し、前記水平板部と前記垂直板部には固定ねじ通し穴（２６）が設けられることを特徴としてなる請求項１ないし３のいずれか１つに記載の日射遮蔽装置用複列レールブラケット。
【請求項５】
可動爪体（９、１１）は、爪部（２７、３０）の下の斜面に仮止め爪部（２８、３１）を、底面に指掛け部（２９、３２）をそれぞれ一体に有することを特徴としてなる請求項１ないし４のいずれか１つに記載の日射遮蔽装置用複列レールブラケット。
【発明の詳細な説明】
【０００１】
【発明の属する技術分野】
本発明は、前後に平行な複列レールのそれぞれに昇降式ブラインドを水平方向スライド自在に吊り下げた日射遮蔽装置に用いる複列レールブラケットに関する。
【０００２】
【従来の技術】
前後平行な複列のレールのそれぞれにたくし上げカーテン、ロールブラインド、ベネシャンブラインド等の昇降式ブラインドを水平方向スライド自在に吊り下げた日射遮蔽装置は、昇降式ブラインドを上昇しなくても、水平にスライドすれば背丈より高い開口が生じるので、ベランダに面した出入り可能な窓に設置される。
【０００３】
従来の複列レール用ブラケットは、壁面又は天井面に止めねじを介して固定される一本の本体と、その本体に形成された前後２つの固定爪部と、その本体に長手方向摺動自在に支持された前後２つの可動爪体と、その前後の可動爪体を前後の固定爪部に押し付ける前後２つのばねとを有し、前列レールはその耳部を前側の固定爪部と可動爪体の間に、後列レールはその耳部を後側の固定爪部と可動爪体の間にそれぞれ掛けて支持する。
【０００４】
【発明が解決しようとする課題】
従来の複列ブラケットは、一本の本体に形成された前後２つの固定爪部の間隔が支持する複列レールの前後ピッチ（長手方向中心線間隔）を規定するため、複列レールの前後ピッチを自由に調整することができなかった。前後複列レールに昇降式ブラインドを水平方向スライド自在に吊り下げた日射遮蔽装置は、吊り下げるブラインドの種類により、複列レールの最適な前後ピッチが異なるため、複列レールの前後ピッチを自由に調整することができる複列レールブラケットが要望されていた。
【０００５】
本発明は、上記要望に応えるためになされたものであり、その課題は、日射遮蔽装置等に用いられる複列レールブラケットであって、支持する複列レールの間隔を自由に調整することができるものを提供することにある。
【０００６】
【課題を解決するための手段】
前記課題を解決するため、本発明が採用する手段は、複列レールブラケットを、壁面又は天井面に止めねじを介して固定される第一本体と、その第一本体に前方から内挿され、第一本体に固定位置調整可能に固定される第二本体とから形成し、第１本体に後列レールを、第２本体に前列レールをそれぞれ支持させたことにある。
【０００７】
第一本体は、前面と底面が少なくとも部分的に抜けた箱体とし、両側部に固定爪部を、底部に爪体支持部を、後部にばね受け部をそれぞれ一体に形成する。爪体支持部に可動爪体を摺動自在に載せ、その可動爪体をばね受け部で支えたばねにより前方に押し付ける。　第二本体には、底面が少なくとも部分的に抜けた箱体とし、前端部に固定爪部と、底部に爪体支持部と、後部にばね受け部をそれぞれ一体に形成する。爪体支持部に可動爪体を摺動自在に載せ、その可動爪体をばね受け部で支えたばねにより前方に押し付ける。
【０００８】
第一本体の上面中央に前後に延長する案内溝を、その案内溝に長穴を形成し、第二本体の中央に上下に貫通する固定ボルト通し穴をあけ、案内溝に溝幅とほぼ同幅の角ナットをはめ、下から固定ボルト通し穴と長穴に固定ボルトを挿通して角ナットにねじ込み、第二本体を第一本体に固定することが好ましい。
【０００９】
第二本体の両側部に第１本体からの突出長を示すマークを入れて第二本体の第一本体に対する固定位置の設定を容易にすることが好ましい。
【００１０】
第一本体部の両側部に天井面に当接可能な水平板部を、後端面両側に壁面に当接可能な垂直板部をそれぞれ形成し、その水平板部と垂直板部に固定ねじ通し穴を設けることが好ましい。
【００１１】
可動爪体の爪部の下の斜面に仮止め爪部を形成し、レールの仮止めを可能にすると共に、仮止めしたレールを押し上げると自動的にレールが可動爪体の爪部に掛かるようにすることが望ましい。
【００１２】
本発明の複列レールブラケットは、第２本体側面のマークを見て第二本体の第一本体に対する固定位置を調整することができるから、複列レールの前後ピッチを日射遮蔽装置が吊り下げるブラインドの種類に最適な前後ピッチに設定することは至極容易である。
【００１３】
【発明の実施の態様】
本発明を図面に示す実施例に基づいて説明する。
【００１４】
図１は、本発明実施例の複列レールブラケットを用いて前後に平行な二列のレールを支持した日射遮蔽装置の要部側面図、図２及び図３は、図１の複列レールブラケットの分解斜視図及び底面図、図４は、複列レールブラケットの縦断面図であり、（ａ）は複列レールを最大の前後ピッチに設定した状態を、（ｂ）は複列レールを最小の前後ピッチに設定した状態をそれぞれ示す。
【００１５】
図１に示す日射遮蔽装置１は、平行な前後二列のレール２ａ、２ｂと、そのレールに摺動自在に取り付けられたランナーブラケット３ａ、３ｂと、そのランナーブラケットに支持された昇降式ブラインド４ａ、４ｂとを有する。前後二列のレール２ａ、２ｂは、壁面又は天井面に固定ねじ３３を介して固定された複列レールブラケット５に脱着自在に支持される。
【００１６】
複列レールブラケット５は、壁面又は天井面に固定された第一本体６と、その第一本体に固定位置調整可能に固定した第二本体７とからなる。後列レール２ｂは耳部を第一本体６に設けた固定爪部８と可動爪体９間に、前列レール２ａは耳部を第２本体７に設けた固定爪部１０と可動爪体１１の間に、それぞれ挟持される。
【００１７】
図２及び図３に示すように、複列レールブラケット５の第一本体６は前面と底面の抜けた箱体であり、第２本体７は底面の抜けた箱体である。第２本体７は、第１本体６に前面から出入自在に内挿される。第１本体６は、両側部に固定爪部８と、底部に可動爪体９を摺動自在に載せる爪体支持部１２と、後部に可動爪体９を前方に押し付けるばね１３のばね受け部１４とを、第二本体７は、前端部に固定爪部１０と、底部に可動爪体１１を摺動自在に載せる爪体支持部１５と、後部に可動爪体１１を前方に押し付けるばね１６のばね受け部１７とをそれぞれ一体として備える。
【００１８】
第一本体６の上面中央には前後に延長する案内溝１８を、その案内溝には長穴１９をそれぞれ形成し、第二本体の中央には上下に貫通する固定ボルト通し穴２０をあける。案内溝１８に溝幅とほぼ同幅の角ナット２１をはめ、下から固定ボルト通し穴２０と長穴１９を挿通する固定ボルト２２をその角ナット２１ねじ込み、第二本体７を第一本体６に固定する。第二本体７の第一本体６からの突出長を変えることにより第二本体７の第一本体６に対する固定位置を調整する。第二本体の両側部にマーク２３を入れて第二本体の第一本体６からの突出長を明示する。
【００１９】
第一本体部６の両側部に天井面に当接可能な水平板部２４を、後端面両側に壁面に当接可能な垂直板部２５をそれぞれ形成し、その水平板部２４と垂直板部２５に固定ねじ通し穴２６を設ける。
【００２０】
可動爪体９、１１の爪部２７、３０の下の斜面に仮止め爪部２８、３１を形成し、レールの仮止めを可能にすると共に、仮止めしたレールを押し上げるとレールが自動的に可動爪体９、１１の爪部２７、３０に掛かるようにする。可動爪体９、１１の底面に、可動爪体９、１１をばね１３、１６に抗して摺動させるため、丸穴状の指掛け部２９、３２を形成する。
【００２１】
複列レールブラケット５が支持する複列レールのピッチは、第二本体７の第一本体６からの突出長により規定される。その突出長は、固定ボルト２２を緩めて自由に調整することができる。図４（ａ）及び（ｂ）に示すように、第一本体６の固定爪部８と第二本体７の固定爪部１０の最大及び最小間隔が、複列レールブラケット５の設定可能な前後２列レール２ａ、２ｂの最大及び最小前後ピッチである。複列レールブラケット５の最大前後ピッチは最小値の約１６０％である。
【００２２】
このように、本発明の複列レールブラケットを日射遮蔽装置に使用して前後平行の複列レールを支持すると、複列レールの前後ピッチを各レールが吊り下げるブラインドに合わせて最適な距離に設定することができる。
【００２３】
【発明の効果】
上記の通り、従来の前後に平行な二本のレールを支持する複列レールブラケットは、前後のレールを支持する固定爪部と可動爪体を一本の本体に設けていたため、二本のレールの前後ピッチは一定となり、ブラインドに合わせて変更することはできなかった。これに対し、本発明の複列レールブラケットは、壁面又は天井面に固定する第一本体と、その第一本体に固定位置調整自在に固定することができる第二本体を備え、第一本体は後列のレールを支持する固定爪部と可動爪体を、第二本体は前列のレールを支持する固定爪部と可動爪体を有するから、第二本体の第一本体に対する前後方向固定位置を変えることにより、平行な二本のレールの前後ピッチをブラインドに合わせて自由に調整することができるという優れた効果を奏する。
【図面の簡単な説明】
【図１】本発明実施例の複列レールブラケットを用いて前後二本のレールを支持した日射遮蔽装置の要部側面図、
【図２】図１の複列レールブラケットの分解斜視図、
【図３】図１の複列レールブラケットの底面図、
【図４】図１の複列レールブラケットの縦断面図、（ａ）は複列レールを最大の前後ピッチに設定した状態を、（ｂ）は複列レールを最小の前後ピッチに設定した状態をそれぞれ示す。
【符号の説明】
１：日射遮蔽装置
２ａ、２ｂ：レール
３ａ、３ｂ：ランナーブラケット
４ａ，４ｂ：ブラインド
５：複列レールブラケット
６：第一本体
７：第二本体
８：固定爪部
９：可動爪体
１０：固定爪部
１１：可動爪体
１２：爪体支持部
１３：ばね
１４：ばね受け部
１５：爪体支持部
１６：ばね
１７：ばね受け部
１８：案内溝
１９：長穴
２０：固定ボルト通し穴
２１：角ナット
２２：固定ボルト
２３：マーク
２４：水平板部
２５：垂直板部
２６：固定ねじ通し穴
２７：爪部
２８：仮止め爪部
２９：指掛け部
３０：爪部
３１：仮止め爪部
３２：指掛け部
３３：固定ねじ
【図１】
2004089590.tif 000003
【図２】
2004089590.tif 000004
【図３】
2004089590.tif 000005
【図４】
2004089590.tif 000006